(57)【要約】【課題】機器の機能設定が他のユーザにより変更されたり、ユーザが意図せずに機能設定を変更してしまったりする場合であっても、簡便且つ迅速にユーザ専用の機能設定に戻すことができる電子機器を提供する。【解決手段】  複数の操作キーを有する入力部と、ユーザ毎の機能設定である個人設定情報と、複数の操作キーのうちの１つの操作キーをその個人設定情報に関連付ける関連キー情報と、を格納する記憶部と、機器に機能設定を再設定するとき、１つの操作キーの入力がなされると、その操作キーに関連付けられた個人設定情報を記憶部から読み出すとともに、読み出した個人設定情報に基づいて機能設定を再設定する個人設定呼出部と、を備える。【選択図】図１
2013005382.tif 000002
【特許請求の範囲】
【請求項１】
複数の操作キーを有する入力部と、
ユーザ毎の機能設定である個人設定情報と、前記複数の操作キーのうちの１つの操作キーを前記個人設定情報に関連付ける関連キー情報と、を格納する記憶部と、
機能設定を再設定するとき、前記１つの操作キーの入力がなされると、前記１つの操作キーに関連付けられた前記個人設定情報を前記記憶部から読み出すとともに、読み出した前記個人設定情報に基づいて前記機能設定を再設定する個人設定呼出部と、
を備えることを特徴とする電子機器。
【請求項２】
前記個人設定情報の作成、及び前記個人設定情報の内容の編集を行う個人設定入力部をさらに備えることを特徴とする請求項１に記載の電子機器。
【請求項３】
前記個人設定入力部により作成又は編集された前記個人設定情報に前記１つの操作キーを関連付ける前記関連キー情報を作成する関連キー設定部をさらに備えることを特徴とする請求項２に記載の電子機器。
【請求項４】
前記複数の操作キーは、前記個人設定情報に基づいて前記機能設定を再設定する処理の開始を前記個人設定呼出部に指示するための個人設定キーを含むことを特徴とする請求項１〜請求項３のいずれかに記載の電子機器。
【請求項５】
前記１つの操作キーは、４色カラーボタン又は数字キーのうちの１つであることを特徴とする請求項１〜請求項４のいずれかに記載の電子機器。
【請求項６】
前記個人設定情報に暗証番号が設定されることを特徴とする請求項１〜請求項５のいずれかに記載の電子機器。
【発明の詳細な説明】
【技術分野】
【０００１】
本発明は、電子機器の機能設定に関する。
【背景技術】
【０００２】
近年、ＤＶＤレコーダーや液晶テレビなどの電子機器はユーザの好みや使用状況に応じて、ユーザ毎に異なる機能設定で利用されることが多くなってきている。ユーザは表示画面のサイズや明るさ、画質などを好みに応じて設定して、たとえば、シネマ設定で映画を鑑賞したり、ワイド画面設定でデジタル放送の番組を鑑賞したりすることができる。
【先行技術文献】
【特許文献】
【０００３】
【特許文献１】特開２００９−０４９８３１号公報
【特許文献２】特開２００８−２１９５４５号公報
【特許文献３】特開２００８−２０５６１０号公報
【特許文献４】特開２００５−０４３７２１号公報
【発明の概要】
【発明が解決しようとする課題】
【０００４】
しかしながら、このような電子機器をたとえば各家庭などで使用するとき、複数のユーザ電子機器を利用することになる。そのため、あるユーザの知らないうちに他のユーザ（たとえば、家族）が電子機器の機能設定を変えてしまったり、ユーザが子供や老人である場合には自分で予期しない間に機能設定を変えてしまったりすることがある。その場合、ユーザが自分専用の機能設定に戻そうとしても、現在の設定内容がどのようになっているのかわからない。そのため、ユーザは、希望する機能以外の機能設定の内容もチェックして、最初から設定し直さなければならないので、かなりの手間と労力が必要であった。
【０００５】
これに対して、特許文献１では、画像表示装置に特有のネイティブ解像度情報を抽出し、そのネイティブ解像度で表示出力させることで、自動的に最適な解像度で表示を行うようにしている。また、特許文献２では、所定の操作キーに設定変更可能な機能を割り当てておき、それらの操作キーの操作の許可／不許可をユーザ毎に設定している。また、特許文献３では、電子機器を起動時に設置環境に応じた設定データで機能設定を行うことにより、電子機器を用途に応じて使用できるようにしている。また、特許文献４では、機能設定を変更する際にユーザの確認を行ない、その結果に基づいて、設定操作可能モードまたは設定操作禁止モードに移行することにより、他のユーザにより機能設定の内容が変更されないようにしている。しかしながら、これら特許文献１〜４では、機器の機能設定が他のユーザにより変更されたり、ユーザが意図せずに機能設定を変更してしまったりする場合であっても、簡便且つ迅速にユーザ専用の機能設定に戻すことはできない。
【０００６】
本発明は、上述の問題点に鑑み、機器の機能設定が他のユーザにより変更されたり、ユーザが意図せずに機能設定を変更してしまったりする場合であっても、簡便且つ迅速にユーザ専用の機能設定に戻すことができる電子機器を提供することを目的とする。
【課題を解決するための手段】
【０００７】
上記目的を達成するために、本発明の電子機器は、複数の操作キーを有する入力部と、ユーザ毎の機能設定である個人設定情報と、前記複数の操作キーのうちの１つの操作キーを前記個人設定情報に関連付ける関連キー情報と、を格納する記憶部と、機能設定を再設定するとき、前記１つの操作キーの入力がなされると、前記１つの操作キーに関連付けられた前記個人設定情報を前記記憶部から読み出すとともに、読み出した前記個人設定情報に基づいて前記機能設定を再設定する個人設定呼出部と、を備える。
【０００８】
上記構成によれば、機器の機能設定を再設定するとき、操作キーの入力がなされると、その操作キーに関連付けられた個人設定情報に基づいて、機器の機能設定を再設定することができる。従って、複数のユーザが利用する電子機器において、機器の機能設定が他のユーザにより変更されたり、ユーザが意図せずに機能設定を変更してしまったりする場合であっても、簡便且つ迅速にユーザ専用の機能設定に戻すことができる。
【０００９】
また、上記構成において、前記個人設定情報の作成、及び前記個人設定情報の内容の編集を行う個人設定入力部をさらに備えるものとしてもよく、さらに、前記個人設定入力部により作成又は編集された前記個人設定情報に前記１つの操作キーを関連付ける前記関連キー情報を作成する関連キー設定部をさらに備えるものとしてもよい。
【００１０】
また、上記構成において、前記複数の操作キーは、前記個人設定情報に基づいて前記機能設定を再設定する処理の開始を前記個人設定呼出部に指示するための個人設定キーを含むものとしてもよい。
【００１１】
また、上記構成において、前記１つの操作キーは、４色カラーボタン及び／又は数字キーのうちの１つであってもよい。なお、４色カラーボタンとは、一般に地上デジタル放送に対応するＡＶ機器のリモートコントローラに設けられる４色（赤色、青色、黄色、及び緑色）の操作キーである。この構成により、ユーザが認識しやすい操作キーにより、そのユーザ専用の機能設定に戻すことができる。従って、ユーザはストレスを感じることなく、容易に操作キーを操作することができる。
【００１２】
また、上記構成において、前記個人設定情報に暗証番号が設定されてもよい。この構成により、暗証番号を知り得たユーザのみがその個人設定情報を利用したり、編集したりすることができる。従って、その個人設定情報をそのユーザ専用にすることができる。
【発明の効果】
【００１３】
本発明によれば、機器の機能設定を再設定するとき、操作キーの入力がなされると、その操作キーに関連付けられた個人設定情報に基づいて、機器の機能設定を再設定することができる。従って、複数のユーザが利用する電子機器において、機器の機能設定が他のユーザにより変更されたり、ユーザが意図せずに機能設定を変更してしまったりする場合であっても、簡便且つ迅速にユーザ専用の機能設定に戻すことができる。
【図面の簡単な説明】
【００１４】
【図１】本実施形態に係る光ディスク装置の構成図である。
【図２】本実施形態に係るリモートコントローラの外観図である。
【図３】本実施形態において個人設定情報を新規作成又は編集するためのフローチャートである。
【図４】個人設定情報の新規作成・編集処理を開始するときの表示画面の一例である。
【図５】本実施形態において個人設定情報の新規作成を行うためのフローチャートである。
【図６】本実施形態において既存の個人設定情報を編集するためのフローチャートである。
【図７】本実施形態に係る個人設定画面の一例である。
【図８】本実施形態において個人設定情報を呼び出すためのフローチャートである。
【発明を実施するための形態】
【００１５】
本発明の実施形態について図面を参照して以下に説明する。本実施形態では、本発明を光ディスク装置１に適用している。この光ディスク装置１（電子機器）では、ユーザが予め設定した光ディスク装置１の各種機能の設定が、そのユーザ専用の個人設定情報として記憶されている。ユーザは、その個人設定情報を任意に呼び出すことができる。ユーザにより個人設定情報が呼び出されると、光ディスク装置１は、光ディスク装置１の各種機能設定の内容と、呼び出した個人設定情報の設定内容とが一致するように、各種機能を設定し直す。従って、この光ディスク装置１を複数のユーザが使用する環境であっても、簡単にユーザの専用の機能設定を呼び出して、設定し直すことができる。
【００１６】
図１は本実施形態に係る光ディスク装置の構成図である。図１に示すように、光ディスク装置１は、通信部１１と、主制御部１２と、メモリ１３（記憶部）と、ＨＤＤ（ハードディスクドライブ）１４と、光ディスクドライブ１５と、表示部１６と、音声出力部１７と、再生信号制御部１８と、リモートコントローラ２（入力部）と、を備える。なお、このほかに、リモートコントローラ２と同様の機能を有する入力装置が光ディスク装置１に内蔵されていてもよい。
【００１７】
通信部１１は、リモートコントローラ２から各種信号を受信し、その信号又はその信号が示す情報や動作の指示を主制御部１２に入力する。
【００１８】
主制御部１２は光ディスク装置１の全体の動作を制御している。また、主制御部１２は、個人設定入力部１２１と、関連キー設定部１２２と、個人設定呼出部１２３とを有している。個人設定入力部１２１は、個人設定情報の新規作成、及び個人設定情報の内容の編集に関する制御を行う。個人設定入力部１２１は、通信部１１がリモートコントローラ２から受信した信号やその信号が示す情報及び動作の指示に基づいて、個人設定情報の新規作成、又は個人設定情報の内容の編集を行うとともに、その個人設定情報に設定される暗証番号を示す暗証番号情報を作成して、メモリ１３に記憶させる。また、関連キー設定部１２２は、メモリ１３に格納される個人設定情報と、ユーザが設定する１つの操作キーとを関連付ける関連キー情報を作成するとともに、作成した関連キー情報をメモリ１３に記憶させる。個人設定呼出部１２３は、リモートコントローラ２での操作入力に応じて光ディスク装置１の機能設定を再設定するとき、それに続けてリモートコントローラ２の１つの操作キーが押下されると、その操作キーに関連付けられた個人設定情報をメモリ１３から読み出す。さらに、個人設定呼出部１２３は、読み出した個人設定情報の設定内容と一致するように、光ディスク装置１の各種の機能設定を再設定する。
【００１９】
ＨＤＤ（Hard Disk Drive）１４は、光ディスクドライブ１５が光記憶媒体から読み出した情報や放送番組情報などを記憶する大容量の記憶装置である。また、メモリ１３は、不揮発性の記憶媒体であり、リモートコントローラ２から送信される各種信号が示す情報や、主制御部１２によって利用されるプログラムなどを記憶している。また、メモリ１３は個人設定記憶部１３１を有している。なお、これに限定されず、ＨＤＤ１４が個人設定記憶部１３１を有するものとしてもよい。個人設定記憶部１３１は、ユーザ毎の機能設定である個人設定情報と、リモートコントローラ２の複数の操作キーのうちの１つの操作キーを個人設定情報に関連付ける関連キー情報と、この個人設定情報に設定される暗証番号を示す暗証番号情報と、を格納している。
【００２０】
光ディスクドライブ１５は、ＣＤやＤＶＤ、ＢＤなどの着脱可能な光記憶媒体に対して、映像情報や音声情報、文字情報など情報の読み込みや書き込みをするための装置である。
【００２１】
表示部１６は、たとえば液晶ディスプレイなどの表示装置である。音声出力部１７は、たとえば、スピーカなどの音声出力装置である。
【００２２】
再生信号制御部１８は、光ディスクドライブ１５の光記憶媒体やＨＤＤ１４から読み出された情報（映像情報や音声情報、文字情報、放送番組情報など）の再生を制御し、それらの情報を表示部１６に表示させたり、音声出力部１７から出力させたりする。光記憶媒体やＨＤＤ１４に格納されている情報を再生する旨の信号がリモートコントローラ２から光ディスク装置１に入力されると、該当する情報が光ディスクドライブ１５の光記憶媒体やＨＤＤ１４から読み出され、再生信号として主制御部１２を介して再生信号制御部１８に入力される。再生信号制御部１８はこの再生信号から映像信号や音声信号を抽出し、抽出した映像信号を表示部１６に出力して、映像信号に基づく表示を表示部１６に行わせる。また、再生信号制御部１８は、抽出した音声信号を音声出力部１７に出力して、音声信号に基づく音声出力を音声出力部１７に行わせる。
【００２３】
リモートコントローラ２は、光ディスク装置１と無線通信（たとえば赤外線通信など）を行う無線通信部２５と、複数の操作キーと、を有する外部入力装置である。図２は本実施形態に係るリモートコントローラの外観図である。ユーザはリモートコントローラ２の操作キーを利用して、光ディスク装置１に与える情報や動作の指示を入力できる。リモートコントローラ２は、ユーザが操作入力した情報や動作の指示を光ディスク装置１に与えるための各種信号を無線通信部２５から光ディスク装置１に送信する。
【００２４】
また、リモートコントローラ２には、操作キーとして、個人設定キー２０１や、４色キー２０２、数字キー２０３、メニューキー２０４、取消キー２０５、カーソルキー２０６、決定キー２０７などが設けられている。個人設定キー２０１は、個人設定情報に基づいて光ディスク装置１の機能設定を再設定する処理の開始を個人設定呼出部１２３に指示するために利用される。４色キー２０２は、一般に地上デジタル放送に対応するＡＶ機器のリモートコントローラ２に設けられる所謂４色カラーボタンであり、赤色キー２０２ａ、青色キー２０２ｂ、黄色キー２０２ｃ、及び緑色キー２０２ｄで構成される。また、数字キー２０３は「１」〜「１２」キーで構成されている。また、メニューキー２０４はメニュー画面を呼び出すために利用される。取消キー２０５は光ディスク装置１の動作モードや入力した情報を取り消す場合などに利用される利用される。また、カーソルキー２０６や決定キー２０７は、ユーザが情報や動作の指示を光ディスク装置１に与えるために利用される。
【００２５】
そのほか、リモートコントローラ２には、音声出力部１７から出力される音声の音量を調節するためのボリュームキー２０８や、光ディスク装置１の電源のＯＮ／ＯＦＦを指示するための電源キー２０９、光ディスクドライブ１５の光記録媒体やＨＤＤ１４に所定の情報（たとえば、放送番組情報など）を格納するための録画キー２１０、光ディスクドライブ１５の光記録媒体やＨＤＤ１４から所定の情報（たとえば、映像情報や音声情報、放送番組情報など）を読み出して、表示部１６や音声出力部１７に出力させるための再生キー２１１、光ディスクドライブ１５の光記録媒体やＨＤＤ１４に対する情報の読み出し／書き込み動作や、表示部１６や音声出力部１７での再生出力動作などを停止させるための停止キー２１２なども設けられている。
＜個人設定情報の設定方法＞
【００２６】
次に、個人設定情報の新規作成や編集を行う手順について説明する。図３は本実施形態において個人設定情報を新規作成又は編集するためのフローチャートである。
【００２７】
ユーザによりリモートコントローラ２のメニューキー２０４が押下されると、主制御部１２は表示部１６にメニュー画面を表示させる。そのメニュー画面には、ユーザが自分専用の個人設定を新規作成・編集するための項目が表示される。ユーザがこの項目を選択すると、主制御部１２はこのユーザ専用の個人設定を新規作成・編集する旨を表示部１６に表示させる（ステップＳ１０１）。図４は、個人設定情報の新規作成・編集処理を開始するときの表示画面の一例である。ステップＳ１０１において、主制御部１２は、個人設定に関連付けることが可能な操作キー（４色キー２０２や数字キー２０３）を全て表示させる。また、主制御部１２は、メモリ１３から個人設定情報を読み出し、読み出した個人設定情報に関連付けられている操作キーの背景色を所定の色（たとえば、グレーや赤色など）に変えて表示させる。この背景色は、表示画面の背景色とは異なる色である。こうすると、新規に作成する個人設定情報に関連付けることが可能な操作キーと、関連付けることができない操作キーとを見分けやすくすることができる。従って、個人設定情報の新規作成や編集処理をし易くすることができる。
【００２８】
次に、主制御部１２は、リモートコントローラ２の４色キー２０２又は数字キー２０３のうちの１つが押下されたか否かを判定する（ステップＳ１０２）。４色キー２０２又は数字キー２０３のうちの１つが押下されたと判定すると（ステップＳ１０２でＹｅｓ）、主制御部１２の個人設定呼出部１２３は、個人設定記憶部１３１から関連キー情報を読み出す。さらに、個人設定呼出部１２３は、その関連キー情報に基づいて、押下された操作キーに対応する個人設定情報が個人設定記憶部１３１に格納されているか否かを判定する（ステップＳ１０３）。
【００２９】
個人設定呼出部１２３は、対応する個人設定情報が個人設定記憶部１３１に格納されていないと判定するとき（ステップＳ１０３でＮｏ）、押下された操作キーに対応する個人設定がない旨、及び、個人設定情報を新規に作成するかを問う旨を表示部１６に表示させる（ステップＳ１０４）。そして、例えばカーソルキー２０６や決定キー２０７などを用いたユーザの操作入力により、個人設定情報を新規に作成する旨が入力されると（ステップＳ１０５でＹｅｓ）、主制御部１２の個人設定入力部１２１は、後述する図５の個人設定情報の新規作成処理を開始する。なお、ユーザによるリモートコントローラ２の操作入力により、個人設定情報を新規に作成しない旨が入力されると（ステップＳ１０５でＮｏ）、個人設定入力部１２１は処理をステップＳ１０１に戻す。
【００３０】
また、個人設定呼出部１２３は、対応する個人設定情報が個人設定記憶部１３１に格納されていると判定するとき（ステップＳ１０３でＹｅｓ）、押下された操作キーに対応する個人設定情報が既にある旨、及び、その個人設定情報の設定内容を編集するかを問う旨を表示部１６に表示させる（ステップＳ１０６）。そして、例えばカーソルキー２０６や決定キー２０７などを用いたユーザの操作入力により、その個人設定情報を編集する旨が入力されると（ステップＳ１０７でＹｅｓ）、主制御部１２の個人設定入力部１２１は、後述する図６の個人設定情報の編集処理を開始する。なお、ユーザによるリモートコントローラ２の操作入力により、その個人設定情報を編集しない旨が入力されると（ステップＳ１０７でＮｏ）、個人設定入力部１２１は処理をステップＳ１０１に戻す。
＜個人設定の新規作成処理＞
【００３１】
次に、個人設定情報の新規作成方法について説明する。図５は本実施形態において個人設定情報の新規作成を行うためのフローチャートである。主制御部１２の個人設定入力部１２１は、個人設定情報の新規作成処理を開始すると、個人設定画面１６０（たとえば図７）を表示部１６に表示させる（ステップＳ２０１）。ユーザは、リモートコントローラ２を操作入力して、個人設定画面１６０に表示される項目の設定を任意に入力することができる。また、後述するように、この個人設定画面１６０では、新規作成する個人設定情報に対応する暗証番号も設定することができる（ステップＳ２０２）。
【００３２】
ユーザにより個人情報画面１６０を終了する旨が入力されると、主制御部１２は、設定内容の確認画面を表示部１６に表示させる（ステップＳ２０３）。ユーザにより表示された設定内容でよい旨が入力されると（ステップＳ２０４でＹｅｓ）、個人設定入力部１２１は個人設定情報と、この個人設定情報に設定される暗証番号を示す暗証番号情報とを作成し、これらを個人設定記憶部１３１に格納する。さらに、関連キー設定部１２２は、関連キー情報を作成し、個人設定記憶部１３１に格納する（ステップＳ２０５）。そして、主制御部１２は処理を終了する。
【００３３】
また、ユーザにより表示された設定内容を希望しない旨が入力されると（ステップＳ２０４でＮｏ）、個人設定入力部１２１は個人設定情報を修正すべく、主制御部１２は処理をステップＳ２０１に戻す。なお、ユーザにより個人設定情報の新規作成処理中に取消キー２０５が押下されると、主制御部１２は、作成中の個人設定情報を個人設定記憶部１３１に格納することなく、個人設定情報の新規作成処理を終了する。
＜個人設定の編集処理＞
【００３４】
次に、個人設定情報の編集方法について説明する。図６は、本実施形態において既存の個人設定情報を編集するためのフローチャートである。個人設定入力部１２１は、個人設定情報の編集処理を開始すると、まず入力回数ｎを１に設定し（ステップＳ３０１）、個人設定情報に対応する暗証番号の入力を促す旨の表示とともに、暗証番号の入力画面を表示部１６に表示させる（ステップＳ３０２）。そして、例えば数字キー２０３などを用いて、ユーザが暗証番号を入力すると、主制御部１２は入力された暗証番号と、その個人設定情報に対応する暗証番号情報とを照合する（ステップＳ３０３）。
【００３５】
入力された暗証番号と、暗証番号情報とが一致しないとき（ステップＳ３０３でＮｏ）、個人設定入力部１２１は、入力された暗証番号が間違っていると判断し、その旨を表示部１６に表示させる（ステップＳ３０４）。そして、個人設定入力部１２１は、入力回数ｎが予め設定した値ｋ（例えば、ｋ＝２又は３）以上であるか否かを判定する（ステップＳ３０５）。入力回数ｎが予め設定した値ｋ以上であれば（ステップ３０５でＹｅｓ）、個人設定入力部１２１は処理を終了する。一方、入力回数ｎが予め設定した値ｋ以上でなければ（ステップ３０５でＮｏ）、個人設定入力部１２１は、入力回数ｎに１を加え（ステップＳ３０６）、処理をステップＳ３０２に戻す。
【００３６】
一方、入力された暗証番号と、暗証番号情報とが一致するとき（ステップＳ３０３でＹｅｓ）、個人設定入力部１２１は、入力された暗証番号が正しいと判断し、個人設定画面１６０（たとえば図７）を表示部１６に表示させる（ステップＳ３０７）。ユーザは、リモートコントローラ２を操作入力して、個人設定画面１６０に表示される項目の設定を任意に入力することができる。
【００３７】
ユーザが個人情報画面１６０を終了する旨を入力すると、主制御部１２は、設定内容の確認画面を表示部１６に表示させる（ステップＳ３０８）。ユーザにより表示された設定内容でよい旨が入力されると（ステップＳ３０９でＹｅｓ）、個人設定入力部１２１は個人設定情報や暗証番号情報を編集し、これらを個人設定記憶部１３１に格納する。さらに、関連キー設定部１２２は、関連キー情報を編集して個人設定記憶部１３１に格納する（ステップＳ３１０）。そして、主制御部１２は処理を終了する。
【００３８】
また、ユーザにより表示された設定内容を希望しない旨が入力されると（ステップＳ３０９でＮｏ）、個人設定入力部１２１は、個人設定情報の編集内容を修正すべく、処理をステップＳ３０７に戻す。なお、ユーザにより個人設定情報の編集処理中に取消キー２０５が押下されると、主制御部１２は、編集中の個人設定情報を個人設定記憶部１３１に格納することなく、処理を終了する。
＜個人設定画面の説明＞
【００３９】
次に、個人設定情報の新規作成や編集を行うための個人設定画面１６０について説明する。個人設定画面１６０では、ユーザは、個人設定情報として、光ディスク装置１の機能や、その個人設定情報に関連付ける操作キー、個人設定情報を利用又は編集する際に必要となる暗証番号を設定することができる。図７は本実施形態に係る個人設定画面の一例である。個人設定画面１６０には、機能設定項目１６０ａと、個人設定情報に関連付ける操作キーの設定項目１６０ｂと、暗証番号の設定項目１６０ｃと、設定終了項目１６０ｄとが表示される。ユーザは、リモートコントローラ２のカーソルキー２０６や決定キー２０７などを用いて、それらの項目を任意に設定することができる。
【００４０】
機能設定項目１６０ａには、ユーザが変更可能な光ディスク装置１の各種機能（たとえば、音声出力の種類や字幕表示に利用される言語、表示画面のサイズ、画質、明るさなど）とそれらを設定するための入力欄が表示される。なお、これらの機能設定項目１６０ａは、ユーザにより任意に設定できるものとしてもよい。たとえば、メニュー画面において個人設定の項目編集を選択すれば、主制御部１２は機能項目選択画面を表示部１６に表示させる。この機能項目選択画面において、ユーザは操作キーを利用して、個人設定情報にて設定したい機能を任意に選択すればよい。
【００４１】
また、個人設定情報に関連付ける操作キーの設定項目１６０ｂには、個人設定情報に関連付ける操作キーを設定するための入力欄が表示される。この入力欄には、個人設定に関連付けることが可能な操作キー（４色キー２０２や数字キー２０３）を全て表示されている。また、個人設定記憶部１３１に格納されている個人設定情報に関連付けられている操作キーの背景色は所定の色（たとえば、グレーや赤色など）で表示されている。この背景色は、個人設定画面１６０の背景色とは異なる色である。そのため、個人設定情報に関連付けることが可能な操作キーと、関連付けることができない操作キーとを見分けやすくなっている。なお、個人設定作成画面が表示されたとき、この入力欄では当初、図３のステップＳ１０２で押下された操作キー（たとえば、赤キー２０２ａ）が選択されているが、ユーザがこの入力欄に別の操作キーを入力すれば、新規作成する個人設定情報に関連付ける操作キーの設定を変更することも可能である。
【００４２】
また、暗証番号の設定項目１６０ｃには、暗証番号の入力欄が表示される。ユーザは数字キー２０３を用いて、暗証番号を入力することができる。入力された暗証番号は、数字のまま新規作成画面に表示されてもよいし、「＊」などの伏せ字で表示されてもよい。
【００４３】
また、設定終了項目１６０ｄには、個人設定画面１６０を終了させるための入力欄が表示される。
＜個人設定情報の呼び出し処理＞
【００４４】
次に、ユーザが自分専用の個人設定を呼び出す手順について説明する。図８は、本実施形態において個人設定情報を呼び出すためのフローチャートである。
【００４５】
主制御部１２の個人設定呼出部１２３は、リモートコントローラ２の個人設定キー２０１が押下されたか否かを判定する（ステップＳ４０１）。個人設定キー２０１がユーザにより押下されると、個人設定呼出部１２３は、個人設定キー２０１が押下されたと判断して（ステップＳ４０１でＹｅｓ）、関連キー情報を個人設定記憶部１３１から読み出し、さらに、個人設定情報を呼び出す旨を表示部１６に表示させる（ステップＳ４０２）。続いて、個人設定呼出部１２３は、リモートコントローラ２の操作キーが押下されたか否かを判定する（ステップＳ４０３）。ユーザによりリモートコントローラ２の操作キーが押下されると（ステップＳ４０３でＹｅｓ）、個人設定呼出部１２３は押下された操作キーが４色キー２０２又は数字キー２０３であるか否かを判定する（ステップＳ４０４）。個人設定呼出部１２３は、押下された操作キーが４色キー２０２又は数字キー２０３ではないと判定すると（ステップＳ４０４でＮｏ）、個人設定情報を呼び出す処理を終了させる。
【００４６】
また、個人設定呼出部１２３は、押下された操作キーが４色キー２０２又は数字キー２０３のうちの１つであると判定すると（ステップＳ４０４でＹｅｓ）、入力回数ｎを１に設定する（ステップＳ４０５）。そして、個人設定呼出部１２３は、関連キー情報に基づいて、押下されたキーに対応する個人設定情報とその暗証番号情報とを個人設定記憶部１３１から読み出し、さらに、暗証番号の入力画面を表示部１６に表示させる（ステップＳ４０６）。そして、ユーザが数字キー２０３などを用いて暗証番号を入力すると、主制御部１２は入力された暗証番号と暗証番号情報とを照合する（ステップＳ４０７）。
【００４７】
両者が一致するとき（ステップＳ４０７でＹｅｓ）、個人設定呼出部１２３は、入力された暗証番号が正しいと判断し、その個人設定情報の設定内容と一致するように、光ディスク装置１の各種機能の設定内容を設定し直す（ステップＳ４０８）。そして、個人設定情報を呼び出す処理を終了する。
【００４８】
一方、両者が一致しないとき（ステップＳ４０７でＮｏ）、個人設定呼出部１２３は、入力された暗証番号が間違っていると判断し、その旨を表示部１６に表示させる（ステップＳ４０９）。そして、個人設定呼出部１２３は、入力回数ｎが予め設定した値ｍ（例えば、ｍ＝１〜３）以上であるか否かを判定する（ステップＳ４１０）。入力回数ｎが予め設定した値ｍ以上であれば（ステップＳ４１０でＹｅｓ）、個人設定呼出部１２３は処理を終了する。一方、入力回数ｎが予め設定した値ｍ以上でなければ（ステップＳ４１０でＮｏ）、個人設定呼出部１２３は、入力回数ｎに１を加え（ステップＳ４１１）、処理をステップＳ４０６に戻す。
【００４９】
なお、ユーザにより個人設定情報を呼び出す処理中に取消キー２０５が押下されると、個人設定呼出部１２３は直ちに個人設定情報を呼び出す処理を終了する。
【００５０】
このように、本実施形態の光ディスク装置１は、複数の操作キーを有するリモートコントローラ２（入力部）と、ユーザ毎の機能設定である個人設定情報と、複数の操作キーのうちの１つの操作キーを個人設定情報に関連付ける関連キー情報と、を格納するメモリ１３（記憶部）と、光ディスク装置１の機能設定を再設定するとき、１つの操作キーの入力がなされると、その操作キーに関連付けられた個人設定情報をメモリ１３から読み出すとともに、読み出した個人設定情報に基づいて機能設定を再設定する個人設定呼出部１２１と、を備えている。
【００５１】
このようにすると、光ディスク装置１の機能設定を再設定するとき、操作キーの入力がなされると、その操作キーに関連付けられた個人設定情報に基づいて、光ディスク装置１の機能設定を再設定することができる。従って、複数のユーザが利用する光ディスク装置１において、光ディスク装置１の機能設定が他のユーザにより変更されたり、ユーザが意図せずに機能設定を変更してしまったりする場合であっても、簡便且つ迅速にユーザ専用の機能設定に戻すことができる。
【００５２】
なお、上述の実施形態では、リモコンに個人設定キー２０１が設けられ、個人設定キー２０１が押下されると、個人設定情報の呼び出し処理が開始されるものとしているが、これに限定されず、メニュー画面からユーザが個人設定の呼び出しを選択すれば、個人設定情報の呼び出し処理が開始されるようにしてもよい。また、リモコンの操作キーのうちの２つ以上をユーザが同時押しすると、個人設定情報の呼び出し処理が開始されるようにしてもよい。こうすれば、リモコンに個人設定キー２０１を設けないようにすることができる。
【００５３】
以上、本発明について実施形態をもとに説明した。この実施形態は例示であり、その各構成要素や各処理の組み合わせに色々な変形例が可能であり、本発明の範囲にあることは当業者に理解されるところである。
【産業上の利用可能性】
【００５４】
本発明は、ＣＤやＤＶＤ、ＢＤのプレーヤやレコーダ、液晶テレビなどの電子機器に利用することができる。
【符号の説明】
【００５５】
１      光ディスク装置
１１      通信部
１２      主制御部
１２１      個人設定入力部
１２２      関連キー設定部
１２３      個人設定呼出部
１３      メモリ（記憶部）
１３１      個人設定記憶部
１４      ＨＤＤ（ハードディスク）
１５      光ディスクドライブ
１６      表示部
１６０      個人設定画面
１６０ａ      機能設定項目
１６０ｂ      個人設定情報に関連付ける操作キーの設定項目
１６０ｃ      暗証番号の設定項目
１６０ｄ      設定終了項目
１７      音声出力部
１８      再生信号制御部
２      リモートコントローラ（入力部）
２０１      個人設定キー
２０２      ４色キー
２０３      数字キー
２０４      メニューキー
２０５      取消キー
２０６      カーソルキー
２０７      決定キー
２０８      ボリュームキー
２０９      電源キー
２１０      録画キー
２１１      再生キー
２１２      停止キー
２５        無線通信部
【図１】
2013005382.tif 000003
【図２】
2013005382.tif 000004
【図３】
2013005382.tif 000005
【図５】
2013005382.tif 000006
【図６】
2013005382.tif 000007
【図８】
2013005382.tif 000008
【図４】
2013005382.tif 000009
【図７】
2013005382.tif 000010